(57)【要約】【課題】移動業務中の運転者が酒気帯び状態であるかないかをその場で検査し、結果を通信によって直ちにセンタに送信し、管理者が把握して適切な対処を施すことを可能とする管理システムを提供する。【解決手段】  呼気を吹きかけてアルコール蒸気を検出するセンサと、該センサの測定を制御するセンサモジュールおよび前記センサによる測定値を情報処理する制御モジュールを備え、前記処理された情報を携帯電話を介して電子メール送信する酒気帯び検知器および携帯電話を運転者に所持させ、業務中に、管理センタの電話機から運転者が所持する携帯電話またはＰＤＡを通して呼気の検査を促し、該運転者が前記酒気帯び検知器により測定したデータを携帯電話またはＰＤＡを経由して電子メールによって前記管理センタに送信し、管理担当者が受信した電子メールに付加されたデータに基づいて酒気帯び判定し、判定結果に基づいて、運転者等に指示を出す。【選択図】    図２
2005184184.tif 000002
【特許請求の範囲】
【請求項１】
呼気を吹きかけてアルコール蒸気を検出するセンサと、
該センサの測定を制御する回路と、
前記センサによる測定値を情報処理する回路と、
携帯電話またはＰＤＡの入力端子に接続され、前記処理された測定値情報を出力する外部接続端子とを有することを特徴とする通信を用いた酒気帯び検知器。
【請求項２】
請求項１記載の通信を用いた酒気帯び検知器は、前記センサがアルコール蒸気を検出した測定値をＡＤ変換してアルコール濃度値に変換する情報処理ソフトウェアと、該アルコール濃度値をメールフォーマットに変換後、携帯電話またはＰＤＡの外部接続端子に出力するソフトウェアとを備えていることを特徴とする通信を用いた酒気帯び検知器。
【請求項３】
請求項１または２記載の通信を用いた酒気帯び検知器が接続される携帯電話またはＰＤＡは、呼気の検査時に、呼気を酒気帯び検査センサに吹きかけている様子を撮像して画像を取得するカメラを備え、当該画像データを呼気測定データと一緒に前記携帯電話またはＰＤＡを介して電子メール送信する通信を用いた酒気帯び検知器。
【請求項４】
請求項１または２記載の通信を用いた酒気帯び検知器が接続される携帯電話またはＰＤＡは、酒気帯び検知器とその近傍に位置する被験者の口唇部分を同時に撮像し、送信できる通信を用いた酒気帯び検知器。
【請求項５】
運転者に請求項１乃至４のいずれか一項に記載の酒気帯び検知器および携帯電話またはＰＤＡを所持させ、
業務中に、管理センタの電話機から運転者が所持する携帯電話またはＰＤＡを通して呼気の検査を促し、
該運転者の呼気を前記酒気帯び検知器により検知して得たデータを携帯電話またはＰＤＡを経由して電子メールによって前記管理センタに送信することを特徴とする通信を用いた酒気帯び検知システム。
【請求項６】
請求項５記載の通信を用いた酒気帯び検知システムにおいて、前記酒気帯び検知器は、管理センタからの指示を入力したときに呼気測定データを遅滞なく、前記携帯電話またはＰＤＡを介して電子メール送信し、それ以外の状態では、呼気測定データの電子メール送信ができない通信を用いた酒気帯び検査センサモジュール。
【請求項７】
請求項５の通信を用いた酒気帯び検知システムにおいて、前記呼気の測定時に、管理センタの担当者は、被験者と該被験者の携帯電話を介して音声通信しながら、呼気を酒気帯び検知器のセンサに吹きかけるよう促し、該吹きかけている音声を聴いて正常か否か判断する通信を用いた酒気帯び検知システム。
【請求項８】
請求項５の通信を用いた酒気帯び検知システムにおいて、前記酒気帯び検知器は流速計を備え、呼気検査時に該流速計が一定以上の流速を検知しなかったときは、測定エラーとして再検知する通信を用いた酒気帯び検知システム。
【請求項９】
請求項５記載の通信を用いた酒気帯び検知システムにおいて、呼気の検知時に、被験者が呼気を前記酒気帯び検知器のセンサに吹きかけている様子を撮像して画像を取得し、当該画像データを呼気測定データと一緒に電子メール送信する通信を用いた酒気帯び検知システム。
【請求項１０】
請求項５乃至９のいずれか一項に記載の通信を用いた酒気帯び検知システムにおいて、電子メールによってセンタに集められた各車両運転者の検査結果は、車両運行管理システムと連動して、地図上に車両の位置とともに記録管理されることを特徴とする酒気帯び検知システム。
【発明の詳細な説明】
【技術分野】
【０００１】
本発明は、アルコールセンサの測定結果を携帯電話、またはＰＤＡ（Ｐｅｒｓｏｎａｌ  Ｄｉｇｉｔａｌ  Ａｓｓｉｓｔａｎｃｅ）等の携帯端末に入力して、その電子メール機能を利用してデータをセンタに送信して、遠隔から現場の状況を把握する手段に関する技術分野に属する。
【背景技術】
【０００２】
従来アルコールセンサ単体装置は市販されており、事務所などで業務前などに利用されている。しかし、移動業務である運転中の運転者の状態は把握できず、運転業務現場での酒気帯びを検査管理することは不可能であった。
【特許文献１】特開２００３−１１５９０２号公報
【発明の開示】
【発明が解決しようとする課題】
【０００３】
本発明は、移動業務中の運転者が酒気帯び状態であるかないかをその場で検査し、結果を通信によって直ちにセンタに送信し、管理者が把握して適切な対処を施すことを可能とする通信を用いた酒気帯び検知器および検知システムを提供する。
【課題を解決するための手段】
【０００４】
運送業務中に現場で酒気帯び検査を行うには、持ち運びの便利な小型のアルコールセンサが必要となる。そして、検査結果を管理者が把握するためには、何らかの通信手段が必要となる。運送会社の従業員は連絡用として携帯電話を所持している。本システムはこの携帯電話を通信手段として利用するものである。この場合、携帯電話に付加されているインターネット電子メール機能を利用する。データを受信する管理者側ネットワークとして、インターネット上の電子メールを使用する環境が既に整っているからである。
【０００５】
かかる観点からなされた本発明の通信を用いた酒気帯び検知器は、呼気を吹きかけてアルコール蒸気を検出するセンサと、該センサの測定を制御する回路と、前記センサによる測定値を情報処理する回路と、携帯電話またはＰＤＡの入力端子に接続され、前記処理された情報を出力する出力端子とを有することに特徴を有する。
【０００６】
この通信を用いた酒気帯び検知器は前記センサがアルコール蒸気を検出した測定値をＡＤ変換してアルコール濃度値に変換する情報処理ソフトウェアと、処理値をメールフォーマットに変換後、携帯電話またはＰＤＡの外部端子に出力するソフトウェアとを備え、このソフトウェアによって制御動作する。
【０００７】
通信を用いた酒気帯び検知器が接続される携帯電話またはＰＤＡは、呼気の検査時に、呼気を酒気帯び検査センサに吹きかけている様子を撮像して画像を取得するカメラを備え、当該画像データを呼気検査データと一緒に前記携帯電話またはＰＤＡを介して電子メール送信する。
【０００８】
本発明の通信を用いた酒気帯び検知システムは、複数の運転者に請求項１乃至４のいずれか一項に記載の酒気帯び検知器および携帯電話またはＰＤＡを所持させ、業務中に、管理センタの電話機から運転者が所持する携帯電話またはＰＤＡを通して呼気の検査を促し、該運転者の呼気を前記酒気帯び検知器により測定して測定したデータを携帯電話またはＰＤＡを経由して電子メールによって前記管理センタに送信すること、に特徴を有する。
【０００９】
前記酒気帯び検知器は、呼気の検知によって得たデータを遅滞なく、前記携帯電話またはＰＤＡを介して電子メール送信し、それ以外の状態では、呼気検査データの電子メール送信ができない構成が好ましい。
【００１０】
前記呼気の検査時に、管理センタの検査者は、被験者と該被験者の携帯電話を介して通信しながら、呼気を酒気帯び検知器のセンサに吹きかけるよう促し、該吹きかけている音声を聴いて正常か否か判断する。この構成によれば、呼気を正しく吹きかけているか否か判断できる。
【００１１】
前記酒気帯び検知器は流速計を備え、呼気検査時に該流速計が一定以上の流速を検知しなかったときは、測定エラーとして再検知することが望ましい。この構成によれば、呼気の吹きつけ量が少ない場合に生じる測定誤差を防止できる。
【００１２】
呼気の検知時に、呼気を前記酒気帯び検知器のセンサに吹きかけている様子を撮像して画像を取得し、当該画像データを呼気測定データと一緒に電子メール送信することが好ましい。この構成によれば、運転者本人が呼気を吹きかけてることを確認できる。
【００１３】
電子メールによってセンタに集められた各車両運転者の検査結果は、車両運行管理システムと連動して、地図上に車両の位置とともに記録管理する。
【発明の効果】
【００１４】
これまで、酒気帯び検査は、管理者が被験者（運転者）と同時に所在する会社事務所でしか検査できなかったが、小型検知器と携帯電話によって、いつでもどこでも、会社事務所を離れていても検査できるようになる。
【００１５】
したがって、管理者の目の届かないところでも、突然に（抜き打ちに）検査を実施することができるため、酒気帯び運転の予防、防止効果は従来よりも格段に向上する。
【発明を実施するための最良の形態】
【００１６】
本発明の実施の形態について図面を用いて説明する。図１は、本発明の酒気帯び検査方法およびシステムの実施形態の利用概念を示した図である。この実施形態は、運送車両を管理する運送会社に適用した実施形態である。
【００１７】
運送会社から運送車両を運転する運転者が所持した携帯電話３０にアルコール濃度検知器４０を装着してアルコール濃度を測定するように指示を出し、運転者はこの指示に基づいて携帯電話３０にアルコール濃度検知器４０を装着してアルコール濃度を測定する。測定結果は携帯電話３０から運送会社に送信される。運送会社は、受信した測定結果により運転者の状態を把握できるので、運転者の酒気帯び運転の予防、防止ができる。
【００１８】
図２および図３は、本発明の酒気帯び検査方法およびシステムの実施形態の構成図である。運送会社１０の管理センタ１１には、運転者の携帯電話番号等の運転者データ、運転者の運行管理データおよび運転者の測定結果データ等をデータベースを備えたコンピュータ１３を備えている。このコンピュータ１３は、インターネット、固定電話網、携帯電話網などの電気通信網５０に接続されていて、電子メール、携帯メールの送受信可能に構築されている。コンピュータ１３本体としては、いわゆるＰＣ（パーソナルコンピュータ）などが使用される。さらに管理センタ１１には、複数の運転者が所持する複数の携帯電話３０（３０１〜３０ｎ）と音声通話が可能な携帯電話、固定電話などの電話機端末１５を備えている。
【００１９】
各運送車両２０（２０１〜２０ｎ）を運転する運転者は、各自に割り当てられた携帯電話３０（３０１〜３０ｎ）および酒気帯び検知器としてのアルコール濃度検知器４０（４０１〜４０ｎ）を所持して運送車両２０（２０１〜２０ｎ）に乗車する。運転者は、運送業務中に、携帯電話３０で管理担当者からの指示を受けて、アルコール濃度検知器４０を使用して呼気中のアルコール濃度を測定する。アルコール濃度検知器４０は、携帯電話３０の外部接続端子３１と接続して測定データを通信する外部接続端子４１と、操作スイッチとして電源をオン／オフする電源スイッチ４２およびアルコール濃度測定を開始させる測定開始ボタン４３、呼気を吹きかける測定口４４を備えている。
【００２０】
さらにアルコール濃度検知器４０の状態表示手段として、電源がオンしたときに点灯する電源ランプ４２ａ、アルコール測定が可能状態のときに点灯するＲｅａｄｙランプ４３ａ、測定が完了したときに点灯する測定完了ランプ４３ｂ、測定できなかったときに点灯する測定エラーランプ４３ｃを備えている。この携帯電話３０が測定したアルコール濃度データは、外部接続端子４１、３１を介して、携帯電話３０から管理センタ１１のコンピュータ（ＰＣ）１３に電子メールとして送信される。
【００２１】
管理担当者は、電話機端末１５またはＰＣ１３を使用して、運転者の携帯電話３０と音声通信または電子メール通信して、運転者にアルコール濃度検知器４０により呼気を測定する旨の指令を出す。そうして管理担当者は、電話機端末１５および携帯電話３０による通信を介して運転者の測定中の状態を確認する。測定終了後、携帯電話３０から送信された測定結果をＰＣ１３が受信する。管理担当者は、ＰＣ１３が受信した測定結果に基づいて酒気帯びか否か判定し、判定結果に対応した指示を運転者または他の担当者に出す。
【００２２】
この酒気帯び検査方法およびシステムの使用態様は、次の通りである。
【００２３】
（１）運送会社１０の管理センタ１１の管理担当者から、運送車両２０の運転者の携帯電話（またはＰＤＡ）３０に呼気をチェックするよう音声通話または電子メールによる指示を出す。
【００２４】
（２）携帯電話３０を介して呼気チェック指示を受けた運転者は、運送車両２０を安全な場所に停車させてアルコール濃度検知器４０を取り出し、電源を入れて、携帯電話またはＰＤＡの外部接続端子（シリアルポート）に差し込む。アルコール濃度検知器４０を携帯電話３０に接続したときに管理担当者との間の電話回線が切断されていた場合は、管理センタ１１に電話をかけて携帯電話３０と電話機端末１５との音声通話回線を接続する。
【００２５】
（３）アルコール濃度検知器４０のＲｅａｄｙランプ４３ａが点灯したら、運転者は測定開始ボタン４３を押し、電話を繋げたまま、アルコール濃度検知器４０に息を吹きかける。管理センタ１１の管理者は、息を吹きかけたことをその場の音で確認する。これによって、不正がなされていないことが確認できる。アルコール濃度検知器４０は、吹きかけられた呼気中のアルコール濃度を測定する。測定したアルコール濃度データは、電子メールの添付データまたは本文として携帯電話３０から管理センタ１１のＰＣ１３に登録されたメールアドレス宛送信される。
【００２６】
また、この際、携帯電話として、静止画または動画カメラ付携帯電話６０を使用していれば、呼気をアルコール濃度検知器４０に吹きかけている様子もカメラ６３で撮像され、管理センタ１１の画像表示可能な電話機端末のディスプレイに表示することで、呼気を吹きかけている様子も観察されることになり、不正がなされていないことが確認できる。図７には、カメラ付携帯電話を使用した場合の概念図を示してある。なお、この実施形態のカメラ付携帯電話６０のカメラ６３は、呼気を吹きかけている被験者の顔または口唇を撮像できる構成が好ましい。
【００２７】
（４）アルコール濃度検知器４０は、アルコール濃度測定が完了すると、測定完了ランプ４３ｂを点灯し、測定データを携帯電話３０から電子メール等にて管理センタ１１のメールボックスに自動送信する。
【００２８】
（５）管理センタ１１の管理者は、ＰＣ１３上で携帯電話またはＰＤＡ検知器からのメールを開いて測定値を読み、合否を判定する。また、別の実施形態では、ＰＣ１３にインストールしたソフトウェアに判定基準値を設定しておき、ソフトウェアにより自動的に合否判定する。また、受信した測定データは、車両運行管理システムと連動して、測定したときの地図上の運送車両２０の位置とともに記録管理することが好ましい。運送車両２０の位置を把握することで、運行状態を容易に把握することが可能になり、代行運転者、車両等の手配なども迅速にできるようになる。
【００２９】
（６）管理センタ１１の管理担当者は、合否の判定結果に応じて、音声電話もしくは返信メールによって結果を被験者（運転者）に伝え、必要な指示を与える。運転者は、この指示を受けるまで運送車両２０を停車させて待機することが望まれる。
【００３０】
図４には、アルコール濃度検知器４０および携帯電話３０の実施形態の構成を示した。アルコール濃度検知器４０は、携帯電話３０の外部接続端子（シリアルコネクタ）３１に着脱自在に接続可能な外部接続端子（シリアルコネクタ）４１と、使用者が操作するスイッチ手段として、電源をオン／オフする電源スイッチ４２および測定開始ボタン４３を備えている。さらにアルコール濃度検知器４０のケース表面には、使用者が呼気を吹きかける測定口４４が設けられている。
【００３１】
アルコール濃度検知器４０内には、全体の動作を統括的に制御する制御モジュール４５と、アルコール濃度を測定するセンサモジュール４６が内蔵されている。制御モジュール４５は、内蔵ＲＯＭに書き込まれたセンサ制御プログラム、メール送信プログラムおよびこれらのプログラムを実行するマイコンを備えている。この制御モジュール４５は電源管理機能も備えている。センサモジュール４６は、測定口４４に臨むガスセンサと、ガスセンサを制御してアルコール濃度を電気的信号に変換して出力するガス信号検出回路を内蔵している。ガス信号検出回路から出力されたアナログの信号は、制御モジュール４５においてＡ／Ｄ変換されて呼気測定データとされる。
【００３２】
さらにセンサモジュール４６は、流速計（風速／風量／風圧センサ）を備え、流速計が一定速以上の流速を所定時間継続したことを検知しなかったときは、制御モジュール４５は測定失敗とし、測定エラーランプ４３ｃを点灯して運転者に測定できなかったことを知らせるとともに、再度呼気を吹きかけることを促し、再測定する機能を備えることが望ましい。
【００３３】
このアルコール濃度検知器４０は、次のように動作する。電源スイッチ４２がＯＮ操作されると、制御モジュール４５は図示しない内蔵のバッテリからの電源により起動し、センサモジュール４６を起動させるとともに、電源ランプ４２ａを点灯させる。制御モジュール４５は、センサモジュール４６の起動が完了すると、Ｒｅａｄｙランプ４３ａを点灯させて、測定可能であることを使用者に知らせる。Ｒｅａｄｙランプ４３ａが点灯した状態で測定開始ボタン４３がＯＮ操作されると、制御モジュール４５は、センサモジュール４６に測定動作を開始させ、センサモジュール４６から測定値を入力し、アルコール濃度を数値化して呼気測定データを生成し、呼気測定データを電子メールのフォーマット、例えば添付データまたは電子メール本文に変換して、外部接続端子４１、３１を介して携帯電話３０に転送する。その後制御モジュール４５は、測定完了ランプ４３ｂを点灯させる。
【００３４】
携帯電話３０は、制御モジュール４５から電子メールフォーマットのデータ入力を受けて、予め設定された電子メールアドレス宛に電子メールを送信する。
【００３５】
次に、本発明の酒気帯び検知手段およびシステムにおける、被験者側、つまり運転者の操作方法について、さらに図６に示した説明図を参照して説明する。なお、この説明図において、長方形の枠はユーザー、つまり運転者の操作を示し、菱形の枠はアルコール濃度検知器４０における判断を示し、各枠の間は、アルコール濃度検知器４０内における処理を示している。
【００３６】
運転者は、検知器４０の電源スイッチ４２をＯＮ操作する（Ｓ１１）。すると、制御モジュール４５が起動するとともに、センサモジュール４６を起動させ、電源ランプ４２ａを点灯させる。そうして、ウォーミングアップ時間、この実施形態では３０秒待った後、Ｒｅａｄｙランプ４３ａを点灯させる。
【００３７】
運転者は、携帯電話３０の外部接続端子３１にアルコール濃度検知器４０の外部接続端子４１を接続する（Ｓ１３）。なお、この接続操作は、電源スイッチ４２をＯＮ操作した後、Ｒｅａｄｙランプ４３ａが点灯する前でもよい。
【００３８】
Ｒｅａｄｙランプ４３ａが点灯したら、運転者は測定開始ボタン４３を押し、測定口４４に息を吹きかける。（Ｓ１３）。アルコール濃度検知器４０は、測定開始ボタン４３がＯＮすると、制御モジュール４５がセンサモジュール４６を起動して測定を開始する。
【００３９】
制御モジュール４５は、測定が終了すると、正常な測定値が得られたかどうかチェックする（Ｓ１５）。制御モジュール４５は、正常な測定値が得られなかった場合は測定エラーランプ４３ｃを点灯させて運転者に再度検査することを促すとともに、測定開始ボタン４３が押されるのを待つ（Ｓ１５；失敗）。
【００４０】
制御モジュール４５は、正常な測定値が得られた場合は、Ｒｅａｄｙランプ４３ａを消灯して測定完了ランプ４３ｂを点灯する。そうして、呼気測定データを電子メールフォーマットに変換して、外部接続端子４１、３１を介して携帯電話３０に転送し、測定完了ランプ４３ｂを消灯する。
【００４１】
運転者は、測定完了ランプ４３ｂが点灯したことで測定が完了したことを知り、その後測定完了ランプ４３ｂが消灯したことでメール送信が完了したことを知ることができる。そうして運転者は、測定完了ランプ４３ｂが消灯したこと（Ｒｅａｄｙランプ４３ａおよび測定エラーランプ４３ｃも消灯）を確認した後に、アルコール濃度検知器４０を携帯電話３０から取り外し、アルコール濃度検知器４０の電源スイッチ４２をオフする。アルコール濃度検知器４０の制御モジュール４５は、電源ランプ４２ａをオフして、パワーダウンする。呼気検査データは、プログラムによって計時されるタイマーによって管理され、一定時間（３秒ないし5秒）はメモリ上に保存されるが、これを経過した場合、プログラムによって消去され、メール送信することができないように設計・製作される。これによって、一定時間以前に取得されるなどした不正なデータを送信することで検査を完了するような不正を防止できる。
【００４２】
その後運転者は、望ましくは、管理担当者から判定結果が届くまで待機し、管理担当者から問題なし、との連絡を受けて運行を継続する。なお、管理担当者は、万一問題を発見した場合は、代行運転者を手配するなど、所定の指示を出す。このように本発明の酒気帯び検知システムによれば、運輸会社の担当者が業務中の運転者の飲酒状態を任意にチェックできるので、運転者の飲酒を予防、防止効果が高まる。
【図面の簡単な説明】
【００４３】
【図１】本発明における酒気帯び検知システムの利用態様の実施形態を示す図である。
【図２】本発明の酒気帯び検知システムの実施形態の構成図である。
【図３】本発明の酒気帯び検知システム構成の実施携帯を示す図である。
【図４】本発明の酒気帯び検知器の実施形態の概要を示す図である。
【図５】本発明の酒気帯び検知器の構成の概要を示す図である。
【図６】本発明の酒気帯び検知システムの被験者（運転者）側の操作手順を説明する図である。
【図７】本発明のカメラ付携帯電話またはカメラ付ＰＤＡによる呼気検査の不正監視に適した実施形態の概要を示す図である。
【符号の説明】
【００４４】
１１      管理センタ
１３      ＰＣ
１５      電話機端末
２０      運送車両
３０      携帯電話
４０      アルコール濃度検知器
４１      外部接続端子
４２      電源スイッチ
４３      測定開始ボタン
４３ａ    Ｒｅａｄｙランプ
４３ｂ    測定完了ランプ
４３ｃ    測定エラーランプ
４４      測定口
４５      制御モジュール
４６      センサモジュール
【図１】
2005184184.tif 000003
【図２】
2005184184.tif 000004
【図３】
2005184184.tif 000005
【図４】
2005184184.tif 000006
【図５】
2005184184.tif 000007
【図６】
2005184184.tif 000008
【図７】
2005184184.tif 000009